(57)【特許請求の範囲】
【請求項１】
複数の液液吐出ヘッドにより基板に液状体を吐出する液滴吐出装置本体と、
前記液滴吐出ヘッドに対して、液滴吐出に付随する処理を行う処理装置とを備え、
それぞれ分割された前記液滴吐出装置本体と前記処理装置とが連携状態で組み立てられ、
前記複数の液滴吐出ヘッドは、それぞれが当該液滴吐出ヘッドを所定個数支持して前記液滴吐出装置本体と前記処理装置との間を独立して移動する複数のキャリッジに搭載されており、
移動する前記キャリッジを支持する架台が分割・一体化自在に組み立てられ、
前記複数のキャリッジが前記架台の延在方向に沿って並んで設けられ、前記処理装置のすくなくとも一つは、前記複数のキャリッジと同数、前記延在方向に沿って並んで設けられることを特徴とする液滴吐出装置。
【請求項２】
請求項１記載の液滴吐出装置において、
前記液滴吐出装置本体と前記処理装置とは、それぞれ個別に一体化されていることを特徴とする液滴吐出装置。
【請求項３】
請求項１または２記載の液滴吐出装置において、
前記液滴吐出装置本体と前記処理装置との間には、緩衝材が介装されることを特徴とする液滴吐出装置。
【請求項４】
請求項１から３のいずれかに記載の液滴吐出装置において、
前記液滴吐出装置本体は、前記処理装置より高い剛性を有することを特徴とする液滴吐出装置。
【請求項５】
請求項１または２記載の液滴吐出装置において、
前記液滴吐出装置本体と前記処理装置とは、非接触で接続されることを特徴とする液滴吐出装置。
【請求項６】
請求項１記載の液滴吐出装置において、
前記所定個数の液滴吐出ヘッドは、前記キャリッジに着脱自在に設けられたサブキャリッジを介して前記キャリッジに搭載されることを特徴とする液滴吐出装置。
【請求項７】
請求項１または６記載の液滴吐出装置において、
前記キャリッジは、ムービングコイル型のリニアモータで駆動されることを特徴とする液滴吐出装置。
【請求項８】
複数の液液吐出ヘッドにより基板に液状体を吐出する液滴吐出装置本体を製造する工程と、
前記液滴吐出ヘッドに対して、液滴吐出に付随する処理を行う処理装置を製造する工程と、
それぞれ分割して製造された前記液滴吐出装置本体と前記処理装置とを連携状態で組み立てる工程とを有し、
前記複数の液滴吐出ヘッドは、それぞれが当該液滴吐出ヘッドを所定個数支持して前記液滴吐出装置本体と前記処理装置との間を独立して移動する複数のキャリッジに搭載されており、
移動する前記キャリッジを支持する架台が分割・一体化自在に組み立てられ、
前記複数のキャリッジが前記架台の延在方向に沿って並んで設けられ、前記処理装置のすくなくとも一つは、前記複数のキャリッジと同数、前記延在方向に沿って並んで設けられることを特徴とする液滴吐出装置の製造方法。
【発明の詳細な説明】
【技術分野】
【０００１】
本発明は、液滴吐出装置とその製造方法に関するものである。
【背景技術】
【０００２】
近年、コンピュータディスプレイや大型テレビジョン等の電子機器の発達に伴い、液晶表示装置、特にカラー液晶表示装置の使用が増加している。この種の液晶表示装置には、通常、表示画像をカラー化するためにカラーフィルターが用いられている。カラーフィルターには、例えばガラス基板に対してＲ（赤）、Ｇ（緑）、Ｂ（青）のインクを所定のパターンで吐出させ、このインクを基板上で乾燥させることで着色層を形成するものがある。このような基板に対してインクを吐出する方式としては、例えばインクジェット方式の液滴吐出装置が採用されている。
【０００３】
インクジェット方式の液滴吐出装置を採用した場合、インクジェットヘッドからガラス基板に対して所定量のインクを吐出して着弾させる。この場合、例えば直交する２方向（Ｘ方向、Ｙ方向）に移動可能、および任意の回転軸を中心として回転可能とされたＸＹθステージにガラス基板を搭載し、インクジェットヘッドを固定したタイプの装置を用いることができる。このタイプの装置は、ＸＹθステージの駆動によりインクジェットヘッドに対してガラス基板を所定の位置に位置決めした後、ガラス基板をＸ方向、Ｙ方向に走査しながらインクジェットヘッドからインクを吐出することで、ガラス基板の所定の位置にインクを着弾させる構成となっている。
【０００４】
この種の液滴吐出装置を用いたカラーフィルター製造装置の例が、下記の特許文献１に開示されている。この文献に開示されたカラーフィルター製造装置は、前工程から後工程に被処理基板を搬送するメイン搬送ラインの側方に、各々がＲ、Ｇ、Ｂの３色の着色層の描画が可能な３台の着色装置（液滴吐出装置）を備えている。さらに、各着色装置とメイン搬送ラインとの間には各着色装置に未着色のガラス基板を供給するための供給コンベア、および着色済みのガラス基板を各着色装置から排出するための排出コンベアが備えられ、メイン搬送ラインと供給コンベアおよび排出コンベアとの間にはこれらコンベア間でガラス基板を移載するためのロボットが備えられている。
【特許文献１】特開２００１−３３６１４号公報
【発明の開示】
【発明が解決しようとする課題】
【０００５】
しかしながら、上述したような従来技術には、以下のような問題が存在する。
近年では、３０〜６０インチといった大型の液晶テレビジョンが市場に提供されつつある。これに適応するような大型のカラーフィルターを製造するため、より多くの液滴吐出ヘッドを配列させたヘッドユニットの導入が検討されている。このようなヘッドユニットを用いれば、大型のガラス基板の搬送中に、ガラス基板の全面に対して一気にインクの吐出を行うことができる。これにより、１枚のガラス基板を処理するのに必要なタクトタイムを短縮することができる。
【０００６】
ところが、基板の大型化に応じて液滴吐出ヘッドの個数を増加させた場合、これら多数のヘッドを有するヘッドユニットの長さが大きくなる。通常、液滴吐出装置においては、インクの乾燥を抑えるためにヘッドのノズル面（インク吐出面）を覆ってインクの乾燥を防いだり、ノズル面を吸引してヘッド内にインクを充填させるために用いられるキャッピングユニットや、ノズル面を拭うワイピングユニット等の付属装置が液滴吐出装置本体に接続される構成となっており、ヘッドユニットが長くなるのに伴ってこれら付属装置も長くなると、本体と付属装置とが接続された状態では相当の長さになってしまう。そのため、液滴吐出装置を客先へと搬送する際の輸送手段も大型トレーラーを用いる等、限られたものとなってしまう。
また、液滴吐出装置を搬入する際にも、液滴吐出装置を設置する建物のレイアウトによっては建物の改造が必要になる虞もある。
【０００７】
一方、液滴吐出ヘッドの個数が増加した場合、多数の液滴吐出ヘッドを精度よく配置してヘッドユニットを形成することは困難である。特に、多数の液滴吐出ヘッドを順次固定すると、各液滴吐出ヘッドの位置ずれが累積されるので、かかる問題が顕著に現れ、吐出した液滴による描画精度を確保することが困難になる。
【０００８】
本発明は、以上のような点を考慮してなされたもので、液滴吐出ヘッドの個数が増加して装置の長さが大きくなった場合でも、容易に搬送・搬入可能な液滴吐出装置とその製造方法及びこの液滴吐出装置により製造される電気光学装置並びに電子機器を提供することを目的とする。
【０００９】
また、本発明の別の目的は、液滴吐出ヘッドの個数が増加して装置の長さが大きくなった場合でも、液滴吐出ヘッドを精度よく配置でき、描画精度の確保が容易な液滴吐出装置とその製造方法及びこの液滴吐出装置により製造される電気光学装置並びに電子機器を提供することである。
【課題を解決するための手段】
【００１０】
上記の目的を達成するために本発明は、以下の構成を採用している。
本発明の液滴吐出装置は、複数の液液吐出ヘッドにより基板に液状体を吐出する液滴吐出装置本体と、前記液滴吐出ヘッドに対して、液滴吐出に付随する処理を行う処理装置とを備え、それぞれ分割された前記液滴吐出装置本体と前記処理装置とが連携状態で組み立てられ、前記複数の液滴吐出ヘッドは、それぞれが当該液滴吐出ヘッドを所定個数支持して前記液滴吐出装置本体と前記処理装置との間を独立して移動する複数のキャリッジに搭載されており、移動する前記キャリッジを支持する架台が分割・一体化自在に組み立てられ、前記複数のキャリッジが前記架台の延在方向に沿って並んで設けられ、前記処理装置のすくなくとも一つは、前記複数のキャリッジと同数、前記延在方向に沿って並んで設けられることを特徴とするものである。
【００１１】
また、本発明の液滴吐出装置の製造方法は、複数の液液吐出ヘッドにより基板に液状体を吐出する液滴吐出装置本体を製造する工程と、前記液滴吐出ヘッドに対して、液滴吐出に付随する処理を行う処理装置を製造する工程と、それぞれ分割して製造された前記液滴吐出装置本体と前記処理装置とを連携状態で組み立てる工程とを有し、前記複数の液滴吐出ヘッドは、それぞれが当該液滴吐出ヘッドを所定個数支持して前記液滴吐出装置本体と前記処理装置との間を独立して移動する複数のキャリッジに搭載されており、移動する前記キャリッジを支持する架台が分割・一体化自在に組み立てられ、前記複数のキャリッジが前記架台の延在方向に沿って並んで設けられ、前記処理装置のすくなくとも一つは、前記複数のキャリッジと同数、前記延在方向に沿って並んで設けられることを特徴としている。
【００１２】
従って、本発明の液滴吐出装置とその製造方法では、連携状態を解除して液滴吐出装置本体と処理装置とを分割・分離することで装置の長さを短くすることができ、装置製造箇所からの搬送及び建物の改造を要することなく設置先での搬入を容易にすることが可能になる。また、設置先においては、液滴吐出装置本体と処理装置とを連携状態で組み立てることで、液滴吐出装置として機能させることができる。
【００１３】
液滴吐出装置本体と処理装置とは、それぞれ個別に一体化された構成であることが好まし。これにより、本発明では、分割された各装置単位で精度出し等の作業を実施することが可能になり、連携後の精度出し等を容易に実施することができる。
【００１４】
前記液滴吐出装置本体と前記処理装置との間に、緩衝材が介装される構成も好適に採用できる。これにより、本発明では、処理装置で発生した振動が液滴吐出装置本体に伝わって、液滴吐出の精度に悪影響を与えることを抑制できる。
また、処理装置で発生した振動が液滴吐出装置本体に伝わらせないためには、前記液滴吐出装置本体と前記処理装置とを非接触で配置する構成も好適に採用可能である。
【００１５】
また、前記液滴吐出装置本体が前記処理装置より高い剛性を有する構成も好適である。この場合、液滴吐出装置本体及び処理装置に負荷が加わった場合、処理装置に多くの変形が生じる、液滴吐出装置本体の変形が少なくなる。そのため、本発明では、液滴吐出の精度に悪影響を与えることを抑制できる。
【００１６】
また、本発明の液滴吐出装置は、前記複数のキャリッジが前記架台の延在方向に沿って並んで設けられ、前記処理装置のすくなくとも一つは、前記複数のキャリッジと同数、前記延在方向に沿って並んで設けられていることを特徴としている。
従って、本発明では、複数のキャリッジのそれぞれを移動させて位置決めすることにより、液滴吐出ヘッドを多数用いる場合であっても所定個数ごとに精度よく配置することができ、液滴吐出による描画精度を容易に確保することが可能になる。
【００１７】
所定個数の液滴吐出ヘッドとしては、前記キャリッジに着脱自在に設けられたサブキャリッジを介して前記キャリッジに搭載されることが好ましい。
これにより、本発明ではキャリッジからサブキャリッジを離脱させ、また別のサブキャリッジをキャリッジに装着することで、液滴吐出ヘッドの交換をサブキャリッジを介して容易に実施することが可能になる。
【００１８】
キャリッジとしては、ムービングコイル型のリニアモータで駆動される構成を好適に採用できる。
これにより、本発明では液滴吐出装置本体と処理装置との間に懸架されるリニアモータの固定子が複数配列された発磁体で構成されることになりため、容易に分割することが可能になる。
【００１９】
一方、本発明の電気光学装置は、上記の液滴吐出装置を用いて製造されたことを特徴としている。
また、本発明の電子機器は、上記の電気光学装置を備えたことを特徴としている。
これにより、本発明では、描画精度に優れた高品質の電気光学装置及び電子機器を得ることができる。
【発明を実施するための最良の形態】
【００２０】
以下、本発明に係る液滴吐出装置とその製造方法及び電気光学装置並びに電子機器の実施形態につき、図面を参照して説明する。なお、以下の説明に用いる各図面では、各部材を認識可能な大きさとするため、各部材の縮尺を適宜変更している。
［第１実施形態］
最初に、本発明の第１実施形態につき、図１ないし図１５を用いて説明する。
【００２１】
［カラーフィルター製造装置］
図１は本実施形態のカラーフィルター製造装置の概略構成図であり、Ｒ、Ｇ、Ｂの３色の着色層を備えたカラーフィルターを製造するための装置である。
本実施形態のカラーフィルター製造装置１は、図１に示すように、上流側からインク受容層形成装置２、Ｒ着色層形成装置３、Ｇ着色層形成装置４、Ｂ着色層形成装置５、本焼成装置６（加熱装置）が配置され、これらの装置が任意の搬送装置（図示略）を介して連結されたものである。このカラーフィルター製造装置１には、Ｒ、Ｇ、Ｂの各着色層のパターンを区画する隔壁（バンクとも言う）が形成されたガラス、プラスチック等からなる透明基板（基板）が供給される。インク受容層形成装置２は、隔壁で区画された領域内に樹脂組成物からなるインク受容層を下地層として形成するための装置である。Ｒ着色層形成装置３、Ｇ着色層形成装置４、Ｂ着色層形成装置５は、それぞれ後で着色層となるＲ、Ｇ、Ｂのインクからなる液状体を塗布するための装置である。本焼成装置６は、塗布後のＲ、Ｇ、Ｂのインクからなる液状体を一括して加熱、焼成するための装置である。これらの装置のうち、インク受容層形成装置２、Ｒ着色層形成装置３、Ｇ着色層形成装置４、Ｂ着色層形成装置５の４台には、本発明の液滴吐出装置（インクジェット装置）が用いられている。
【００２２】
［液滴吐出装置］
ここではＲ着色層形成装置３を一例として説明する。Ｒ着色層形成装置３は、上流側から下流側（図１における右側から左側）に向けて給材部６１、表面改質部６２、描画部６３、検査部６４、仮焼成部６５、除材部６６が備えられている。大まかな処理の流れとしては、給材部６１から供給された描画前の基板に対し、表面改質部６２において親液処理、撥液処理が施され、描画部６３において隔壁で区画された所定の領域にＲのインクが吐出、描画される。次いで、検査部６４において描画状態が検査され、仮焼成部６５でインクの仮焼成が施された後、描画後の基板が除材部６６により排出される。本装置において、これら各部は基板の流れ方向に沿って直線状に配置されている。給材部６１および除材部６６は任意の基板搬送手段で構成することができ、例えばローラコンベア、ベルトコンベア等が用いられる。表面改質部６２は、プラズマ処理室を備えており、親液処理としては大気雰囲気中で酸素を反応ガスとするプラズマ処理（Ｏ２プラズマ処理）が行われ、基板の表面及び隔壁の側面が親液化される。撥液処理としては大気雰囲気中でテトラフルオロメタン（四フッ化炭素）を反応ガスとするプラズマ処理（ＣＦ４プラズマ処理）が行われ、隔壁の上面が撥液化される。
【００２３】
図２は、描画部６３の近傍のみを示す概略構成斜視図であり、図３は図２における左側面図である。描画部６３においては、基板Ｓに対して描画を行う液滴吐出装置７２が設置されている。液滴吐出装置７２は、基板Ｓに対して液滴（液状体）を吐出することで描画を行う描画装置（液滴吐出装置本体）Ｂと、描画装置の＋Ｙ側に接続される整備ユニット８０と、描画装置Ｂと整備ユニット８０との間で後述する液滴吐出ヘッド３４を駆動させる（駆動処理する）駆動ユニット１７２とを主体として構成されている。
【００２４】
描画装置Ｂは、図３に示すように、搬送方向であるＸ方向に移動可能なベース１５０と、ベース１５０上に載置され描画対象となる基板Ｓを吸着保持するテーブル７０と、下面側に複数個の液滴吐出ヘッドを備え、各液滴吐出ヘッドのノズルから下方の基板Ｓに対してインク滴（液滴）を吐出するＹ方向（基板Ｓの搬送方向と垂直方向）に延びるヘッドユニット７１とから概略構成されている。ベース１５０上には、テーブル７０をθＺ方向（Ｚ軸周りの方向）に駆動するθ駆動装置１５１と、テーブル７０の＋Ｘ側に位置し液滴吐出ヘッドから予備吐出（フラッシング）が行われるフラッシングユニット１５２とが設けられている。これら描画装置Ｂは、基台１７０上に一体化された状態で設置される。
【００２５】
ヘッドユニット７１は、相互に独立して移動するＹ方向に配列された複数（例えば７枚）のキャリッジ１５３を備えている。図４は、キャリッジ１５３を液滴吐出ヘッド３４のノズル側（基板Ｓ側、下側）から見た図である。各キャリッジ１５３は、Ｘ方向に延びる矩形のプレート７４と、それぞれが複数（所定個数；ここでは１２個）の液滴吐出ヘッド３４を保持（支持）するヘッドキャリッジ（サブキャリッジ）７３と、ヘッドキャリッジ７３をプレート７４に対してθＺ方向に駆動するθ駆動装置１５４（図３参照）と、ヘッドキャリッジ７３をＺ方向に昇降させる昇降装置１５５（図３参照）とから構成されており、ヘッドキャリッジ１５３はθ駆動装置１５４及び昇降装置１５５を介してプレート７４に着脱自在に取り付けられている。
【００２６】
駆動ユニット１７２は、整備ユニット８０を挟んだＸ方向両側に、Ｙ方向に延在するように平行に配置された架台１５６に設けられたガイドレール１５７と、各プレート７４（すなわちキャリッジ１５３）をガイドレール１５７に沿って駆動するシャフト型リニアモータ１５８とを主体に構成されており、各架台１５６上には、液滴吐出ヘッド３４に接続されるインクケーブルやリニアモータ１５８（の可動子）に接続される電力供給線等を収容するためのケース１７１がＹ方向に沿って設置されている。
【００２７】
プレート７４のＸ方向両側にはリニアガイド７５、７５が設けられており、ガイドレール１５７に沿ってＹ方向に移動自在となっている。リニアモータ１５８は、各プレート７４の両側に設けられた円筒状の可動子１５９と、描画装置Ｂと整備ユニット８０とに亙ってＹ方向に沿って配置され各プレート７４の可動子１５９がそれぞれ挿通する固定子１６０とから構成される。本実施の形態では、可動子１５９がコイル体で構成され、固定子１６０が発磁体で構成されるムービングコイル型のリニアモータ１５８が用いられ、各可動子１５９に通電する電流を調整することにより、各キャリッジ１５３の位置を独立して制御できる。
【００２８】
各液滴吐出ヘッド３４には、複数の液滴吐出ノズルが配列形成されている。そして、そのノズル列の配列方向をＹ方向に一致させて、各液滴吐出ヘッド３４がヘッドキャリッジ７３に固定されている。また、各液滴吐出ヘッド３４は、Ｙ方向に順次ずれた状態で階段状に配置されている。これにより、ヘッドユニット７１の全幅にわたって等ピッチで液滴吐出ノズルが配置されている。この構成により、このヘッドユニット７１は、基板Ｓの搬送方向と直交する方向（Ｙ方向）で例えば数ｍという長い寸法にわたって所定のピッチでインク滴を吐出可能となっている。そして、液滴吐出ヘッド３４の配列方向と直交する方向に基板Ｓを搬送しつつインク滴を吐出することで、基板Ｓの全面にわたって所望のパターン形状でＲのインクを描画することができる。
【００２９】
描画装置Ｂにおいて描画を行う前に、まず描画部のアライメント調整を行う必要がある。そのアライメント調整を行うために、まず各ヘッドの各ノズルから描画前フラッシング（液滴の予備吐出）を行う。この描画前フラッシングは、基板Ｓを載置したテーブル７０を移動させる前に、基板Ｓ上の液滴吐出領域に対して行う。次に、基板Ｓ上に吐出された液滴をＣＣＤ７８により撮影し、吐出位置および吐出面積を算出する。この吐出位置の算出結果に基づいて、描画装置Ｂのアライメント調整を行う。Ｘ方向のアライメントは、各ノズルの液滴吐出タイミングを調整することによって行う。またＹ方向のアライメントは、リニアモータ１５８により各プレート７４の位置を調整することによって行う。このように、本実施形態のヘッドユニットは、複数のヘッドがグループごとに異なるヘッドキャリッジに装着されているので、描画部のアライメント調整を簡単に行うことができる。なお、アライメント以外の描画前フラッシングや描画間フラッシングは、フラッシングユニット１５２に対して行われる。
【００３０】
［液滴吐出ヘッド］
図５（ａ）は、液滴吐出ヘッドの構造説明図、図５（ｂ）は正面断面図である。液滴吐出ヘッド３４は、例えばピエゾ素子によって液室を圧縮してその圧力波で液体を吐出させるもので、上述したように、一列または複数列に配列された複数のノズル１８を有している。この液滴吐出ヘッド３４の構造の一例を説明すると、液滴吐出ヘッド３４は、図５（ａ）に示すように、例えばステンレス製のノズルプレート１２と振動板１３とを備え、両者を仕切部材（リザーバプレート）１４を介して接合したものである。ノズルプレート１２と振動板１３との間には、仕切部材１４によって複数の空間１５と液溜まり１６とが形成されている。各空間１５と液溜まり１６の内部はインクで満たされており、各空間１５と液溜まり１６とは供給口１７を介して連通したものとなっている。また、ノズルプレート１２には、空間１５からインクを噴射するためのノズル１８が形成されている。一方、振動板１３には、液溜まり１６にインクを供給するための孔１９が形成されている。
【００３１】
また、振動板１３の空間１５に対向する面と反対側の面上には、図５（ｂ）に示すように、圧電素子（ピエゾ素子）２０が接合されている。この圧電素子２０は、圧電材料を一対の電極２１で挟持したものであり、一対の電極２１に通電すると圧電材料が収縮するよう構成されたものである。そして、このような構成のもとに圧電素子２０が接合されている振動板１３は、圧電素子２０と一体になって同時に外側へ撓曲するようになっており、これによって空間１５の容積が増大するようになっている。したがって、空間１５内に増大した容積分に相当するインクが、液溜まり１６から供給口１７を介して流入する。また、このような状態から圧電素子２０への通電を解除すると、圧電素子２０と振動板１３はともに元の形状に戻る。したがって、空間１５も元の容積に戻ることから、空間１５内部のインクの圧力が上昇し、ノズル１８から基板に向けてインクの液滴Ｌが吐出される。
【００３２】
なお、液滴吐出ヘッド２のインクジェット方式としては、前記の圧電素子２０を用いたピエゾジェットタイプ以外の方式でもよく、例えば、エネルギー発生素子として電気熱変換体を用いた方式を採用してもよい。
【００３３】
［整備ユニット］
図２に示すように、ヘッドユニット７１（描画装置Ｂ）の＋Ｙ方向には、整備ユニット８０が設けられている。
図６は整備ユニット８０の平面図である。整備ユニット８０には、各液滴吐出ヘッドのインク吐出面を覆うキャップユニット（キャッピング手段）８１と、各液滴吐出ヘッドのインク吐出面を拭うワイパユニット（ワイピング手段）９０とが、隣接して形成されている。
【００３４】
キャップユニット８１は、前記ヘッドキャリッジに対応して、Ｙ方向に整列配置された複数のキャップキャリッジ８３を備えている。なお、各キャップキャリッジ８３はＺ方向に移動可能とされている。そして、各キャップキャリッジ８３には、前記液滴吐出ヘッドに対応して、複数のキャップ８２が階段状に配置されている。このキャップ８２は、液滴吐出ヘッドのインク吐出面を覆うことにより、液滴吐出に付随する処理として、ヘッドにおけるノズル内のインクの乾燥を防止（乾燥防止処理）する保湿キャップとして機能する。
【００３５】
キャップ８２は、その上面を液滴吐出ヘッド３４のインク吐出面１２ａ（図４参照）に当接させて使用する。そのため、キャップ８２の上面には凹部が形成されている。この凹部は、液滴吐出ヘッド３４に形成されたすべてのノズル１８を内包しうる大きさに形成されている。これにより、液滴吐出ヘッド３４のノズル１８とキャップ８２の上面との接触が回避され、各ノズル１８の開口部に形成されるインクのメニスカスが維持される。また、凹部を取り囲むキャップ８２の上面は面精度よく形成されている。これにより、液滴吐出ヘッド３４のインク吐出面１２ａに形成された各ノズル１８を密閉封止することができるようになっている。
【００３６】
なお、最も描画装置Ｂ寄りのキャリッジ８３ａに配置されたキャップは、液滴吐出ヘッド３４におけるノズル内のインクを吸引可能な吸引キャップ８２ａとして機能する。吸引キャップ８２ａにおいては、凹部から外部のポンプに接続され、ポンプを運転することにより、凹部内の空気が吸引されて、各ノズル１８内のインクを吸引しうるようになっている。
【００３７】
図７は、図６における正面図である。
この図に示すように、整備ユニット８０においては、基台１６１に対してキャップユニット８１及びワイパユニット９０が一体的に取り付けられている。各キャップユニット８１においては、液滴吐出ヘッド３４が上方を移動する動作に応じてキャップキャリッジ８３を下降させる昇降装置１６２、液滴吐出ヘッド３４から吐出される液滴の重量を測定する動作に応じてキャップキャリッジ８３を昇降させる昇降装置１６３、ヘッド交換等のメンテナンスに応じてキャップキャリッジ８３を昇降させる昇降装置１６４がそれぞれ設けられた３段昇降システムとなっている。
【００３８】
一方、ワイパユニット９０には、例えばポリエステルの織布等からなるワイピングシート９２が配置されている。このワイピングシート９２は、ヘッドキャリッジ７３に搭載された液滴吐出ヘッド群と同等以上の幅に形成されている。またワイパユニット９０には、ワイピングシート９２の繰り出しローラ９３および巻き取りローラ９６が配置されている。なお巻き取りローラ９６は、図示しないモータ等により回転駆動可能とされている。またワイパユニット９０の上部には、ガイドローラ９４が配置されており、繰り出しローラ９３とガイドローラ９４との間にはテンションローラ９５が配置されている。なお、各ローラ９３，９４，９５、９６は平行に配置され、ワイピングシート９２は繰り出しローラ９３からテンションローラ９５及びガイドローラ９４を介して巻き取りローラ９６に巻き回されている。そして、ガイドローラ９４の上端部に配置されたワイピングシート９２が、液滴吐出ヘッド３４のインク吐出面１２ａと当接するようになっている。
【００３９】
なお、テンションローラ９５とガイドローラ９４との間には、ワイピングシート９２に対する洗浄液塗布手段（図示せず）が設けられている。この洗浄液塗布手段は、ワイピングシート９２の全幅にわたって洗浄液を塗布しうるように形成されている。なお、ワイパユニット９０は、液滴吐出に付随する処理として、洗浄液の塗布されたワイピングシート９２によって液滴吐出ヘッド３４のインク吐出面１２ａを拭う処理を行うことにより、インク吐出面１２ａに付着したインク５４ａを除去するものである。そこで洗浄液として、インクとの親和性がよく、なおかつインク吐出面１２ａから揮発し易い物質を使用するのが望ましい。具体的には、液滴吐出ヘッド３４により吐出されるインクの溶媒を洗浄液として使用することができる。
【００４０】
なお、ワイパユニット９０においては、液滴吐出ヘッド３４が上方を移動する動作に応じてガイドローラ９４を下降させる昇降装置１６５、ヘッド交換等のメンテナンスに応じてワイパユニット９０を昇降させる昇降装置１６６がそれぞれ設けられた２段昇降システムとなっている。
【００４１】
なお、上記のようにワイピングシート９２を使用したワイパユニット９０に代えて、またはそのワイパユニット９０とともに、ゴムべらを使用したワイパユニットを設けてもよい。このワイパユニットは、整備ユニット８０の上面に可撓性を有するゴムべらを立設して構成する。このゴムべらは、ヘッドユニット７１と同等の長さに形成されている。そして、このゴムべらを液滴吐出ヘッドのインク吐出面に押し当てて、インク吐出面と平行に移動させることにより、インク吐出面１２ａに付着したインクを除去することができる。ゴムべらを使用したワイパユニットは、ワイピングシート９２を使用したワイパユニット９０より、低コストで構築することができる。なお整備ユニット８０には、上記以外の整備手段を設けてもよい。
【００４２】
［描画装置の整備方法］
次に、上述した整備ユニット８０を使用して描画装置を整備する方法について説明する。
上述した描画前フラッシングでは、液滴の吐出位置に加えて吐出面積を算出するので、ノズル詰まりを検出することが可能である。また、描画状態の検査や定期フラッシング等においても、ノズル詰まりが検出される場合がある。そして、ノズル詰まりが検出された場合には、これを解消させる必要がある。ノズル詰まりの解消は、当該ヘッドをキャッピングした上で、ノズルを吸引することによって行う。
【００４３】
具体的には、リニアモータ１５８の駆動によって、ノズル詰まりが検出されたヘッド３４を、吸引キャップ８２ａの上方まで移動させる。なお上述したように、各ヘッドキャリッジ７３は、独立してＹ方向に移動させることが可能であり、このとき吸引対象となるヘッド３４よりも整備ユニット８０側に他のヘッド（キャリッジ１５３）が存在する場合はこれらのキャリッジ１５３も一体的に移動させる。次に、昇降装置１６２〜１６４の駆動により、吸引キャップ８２ａが搭載されたキャップキャリッジ８３を上昇させ、キャップキャリッジ８３に搭載された吸引キャップ８２ａの上面を、液滴吐出ヘッド３４のインク吐出面１２ａに対向・当接させる。その際、液滴吐出ヘッド３４のすべてのノズル１８が、吸引キャップ８２ａの凹部に内包されるように、あらかじめ両者を位置決めしておく。これにより、液滴吐出ヘッド３４のすべてのノズル１８が、吸引キャップ８２ａにより密閉封止される。
【００４４】
次に、吸引キャップ８２ａに接続されたポンプを運転することにより、各キャップ８２における凹部内の空気が吸引されて、液滴吐出ヘッド３４のノズル１８が吸引される。これにより、液滴吐出ヘッド３４内のインクが各ノズル１８に導入されて、ノズル詰まりが解消される。なお、液滴吐出ヘッド３４のノズル１８を吸引すると、ノズル１８から若干のインクが凹部内に漏れ出すことになる。この漏れ出したインクは、ポンプにより図示しない廃液タンクに回収して再利用することができる。
このとき、吸引対象ではない他のヘッドについては、吸引キャップ８２で密閉封止することにより、インク溶媒の蒸発を防いで増粘状態となることを回避する。
【００４５】
なお、液滴吐出ヘッド３４のノズル１８を吸引すると、ノズル１８から漏れ出したインクが液滴吐出ヘッド３４のインク吐出面１２ａに付着することがある。そして、インク吐出面１２ａにおけるノズル１８の開口部周辺にインクが付着した状態で、液滴吐出ヘッド３４からインクを吐出すると、吐出されたインクの飛行曲がりが発生するおそれがある。そこで、液滴吐出ヘッド３４のノズル１８を吸引した後に、インク吐出面１２ａに付着したインクを除去するため、インク吐出面１２ａのワイピングを行う。
【００４６】
具体的には、インク吸引後のヘッド３４をワイパユニット９０の上方まで移動させる。次に、図示しないモータ等により巻き取りローラ９６を回転させ、各ローラに沿ってワイピングシート９２を移動させる。また、洗浄液塗布手段からワイピングシート９２に対して洗浄液を塗布する。そして、ワイパユニット９０を上昇させ、ガイドローラ９４の上端部に配置されたワイピングシート９２をインク吐出面１２ａに押し当てる。すると、インク吐出面１２ａに付着したインクが、ワイピングシート９２に塗布された洗浄液に溶解されつつ、ワイピングシート９２に吸収される。また、ワイピングシート９２はインク吐出面１２ａに沿って移動しているので、常にフレッシュなワイピングシート９２によりインク吐出面１２ａが払拭される。なお、ワイピングシート９２と逆方向に、ヘッドキャリッジ７３を移動させてもよい。以上により、インク吐出面１２ａに付着したインクが除去される。
【００４７】
一方、使用不可能となった液滴吐出ヘッド３４を交換する場合には、ヘッドキャリッジ７３単位で交換すればよい。具体的には、あらかじめ各ヘッド３４が精度良く配置されたヘッドキャリッジ７３を補修用に準備しておく。そして、使用不可能となった液滴吐出ヘッド３４をヘッドキャリッジ７３ごとヘッドユニット７１から取り外す。その際、ヘッドキャリッジ７３をキャップユニット８１上に移動させるとともに、昇降装置１６４の駆動によりキャップキャリッジを下降させて作業エリアを確保した上で、ヘッドキャリッジ７３を取り外す。次に、あらかじめ準備しておいたヘッドキャリッジ７３をプレート７４に取付ける。この作業はロボットにより行ってもよいが、ヘッドキャリッジ７３単位であれば人手により行うことも可能である。その後、上記と同様に描画部のアライメントを行えばよい。このように、本実施形態のヘッドユニットは、複数のヘッドがグループごとに異なるヘッドキャリッジに装着されているので、使用不可能となった液滴吐出ヘッド３４を簡単に交換することができる。
【００４８】
また、上述したように、本実施の形態における液滴吐出装置７２は、描画装置Ｂと、処理装置としてのキャップユニット８１及びワイパユニット９０を備えた整備ユニット８０とが連携状態で組み立てられた構成となっているが、描画装置Ｂ及び整備ユニット８０はそれぞれは個別に分割された状態で製造された後に一体的に連携される。すなわち、この液滴吐出装置７２は、描画装置Ｂを製造する工程と、整備ユニット８０を製造する工程と、駆動ユニット１７２を製造する工程と、それぞれ分割して製造された描画装置Ｂ、整備ユニット８０及び駆動ユニット１７２を連携状態で組み立てる工程とを経て製造される。
【００４９】
図８は、液滴吐出装置７２を−Ｘ側から視た概略的な正面図である（なお、この図においては、理解を容易にするために整備ユニット８０の図示を省略している）。
この図に示すように、架台１５６は、分割された描画装置Ｂ側の架台１５６Ａと、整備ユニット８０側の架台１５６Ｂとが、図示しない締結部材等により分割・一体化自在に組み立てられた構成となっている。同様に、ケース１７１も分割された描画装置Ｂ側の架台１７１Ａと、整備ユニット８０側の架台１７１Ｂとが、図示しない締結部材等により分割・一体化自在に組み立てられた構成となっている。さらに、リニアモータ１５８の固定子１６０は、複数の発磁体（磁石）が連結されて一本の軸状に構成されているが、本実施の形態では描画装置Ｂ側と整備ユニット８０側とで分割されており、取付ネジ等の締結部材により一体的に組み立てられる。固定子がコイル体で構成されるムービングマグネット型のリニアモータでは固定子の分割が困難であるが、本実施形態のように固定子が発磁体からなるため分割が容易となっている。
上記の分割構造の中、架台１５６についてはガイドレール１５７が形成されているため、例えば架台１５６Ａ、１５６Ｂの対向面の対向する位置にそれぞれ位置決め孔を形成し、両位置決め孔に位置決めピンを嵌合することで相対的な位置決めをすることが好ましい。
【００５０】
上記の構成では、分割した各装置が組み立てられた構成とすることで、液滴吐出装置７２を搬送する際には、それぞれ分割して長さが短くなった描画装置Ｂと整備ユニット８０とを個別に搬送するとともに、駆動ユニット１７２についてもケース１７１Ａ、１７１Ｂ、架台１５６Ａ、１５６Ｂ、固定子１６０も分割した状態で搬送する。
そして、設置先の工場等においては、分割した状態で各装置、ユニットを搬入し、設置箇所において各装置、ユニットを組み立てて一体化する。
従って、大型のトレーラーを用いたり、設置先の建物を改造することなく、液滴吐出装置の搬送・搬入を容易に実施することができる。
【００５１】
また、本実施の形態では、複数の液滴吐出ヘッド３４を支持・搭載するキャリッジ１５３を複数に分割して、各キャリッジ１５３が相互に独立して移動自在となっているので、各液滴吐出ヘッド３４を精度よく配置することが可能になり、液滴吐出による基板Ｓへの描画精度を容易に確保することができる。また、本実施の形態では、各装置・ユニットが個別に一体化された構成となっているので、分割された各装置単位で精度出し等の作業を実施することが可能になり、連携後の精度出しを容易に実施することができ、連携に係る作業を簡便化できる。
【００５２】
また、液滴吐出装置７２においては、描画装置Ｂの剛性を整備ユニット８０及び駆動ユニット１７２の剛性よりも高くすることで、液滴吐出装置７２に大きな負荷が加わった場合に、求められる精度が比較的緩い整備ユニット８０や駆動ユニット１７２の変形が大きくなり、要求精度の厳しい描画装置Ｂの変形が小さくなる。つまり、負荷の多くを整備ユニット８０や駆動ユニット１７２が吸収することになり、液滴吐出による描画精度に悪影響が及ぶことを防止できる。
【００５３】
なお、上記実施形態では、描画装置Ｂ、整備ユニット８０及び駆動ユニット１７２を直接連結して組み立てる構成として説明したが、これに限定されるものではなく、例えば装置・ユニット間に緩衝材を介装させる構成としてもよい。この構成では、整備ユニット８０及び駆動ユニット１７２で振動が発生した場合でも、振動が描画装置Ｂに伝わることを抑制でき、描画精度の低下を防止することができる。
さらに、装置・ユニットの間に微少隙間を設けることで非接触状態で配置する構成も好ましい。この場合、整備ユニット８０及び駆動ユニット１７２で振動が発生した場合でも、振動が描画装置Ｂに伝わらず、高精度な描画を実施することが可能になる。この場合、描画装置Ｂ及び整備ユニット８０に跨る固定子１６０を非接触で配置することは困難であるため、固定子１６０の両端を別のフレームで支持する構成としてもよい。
【００５４】
［液滴吐出装置の変形例］
次に、第１実施形態に係る液滴吐出装置の変形例につき、図９ないし図１１を用いて説明する。
図９は、液滴吐出装置の第１変形例の説明図である。第１変形例は、各ヘッドキャリッジ１７３に対応して複数の整備ユニット１８０を設けたものである。各整備ユニット１８０は、それぞれキャップユニット１８１およびワイプユニット１９０を備えている。なお、各整備ユニット１８０の間には、ヘッドキャリッジ１７３の交換作業エリア１６０が設けられている。この構成によれば、各ヘッドの整備時間を短縮することが可能になる。また、各ヘッドキャリッジ１７３に搭載されたヘッドのキャッピングからワイピングまでの時間を統一することが可能になり、各ヘッドを同じ状態で使用することができる。
【００５５】
図１０は、液滴吐出装置の第２変形例の説明図である。第２変形例は、各ヘッドキャリッジ２７３のグループごとに整備ユニット２８０を設けたものである。例えば、第１整備ユニット２８０ａには３個のキャップキャリッジ２８３が配置され、第２整備ユニット２８０ｂおよび第３整備ユニット２８０ｃにはそれぞれ２個のキャップキャリッジ２８３が配置されている。また、各整備ユニットにはヘッドキャリッジ２７３の交換作業用（メンテナンス作業用）の作業エリアとしての凹部２６０ａ〜２６０ｃと、ワイプユニット２９０とがそれぞれ設けられている。この構成によっても、各ヘッドの整備時間を短縮することができる。また、図１０の変形例と比べて、ヘッドキャリッジ２７３の移動距離を短くすることが可能になり、液滴吐出装置の製造コストを低減することができる。
【００５６】
図１１は、液滴吐出装置の第３変形例の説明図である。第３変形例は、各ヘッドキャリッジを２列に配置するとともに、列間で整備ユニットを共用可能としたものである。例えば、第１列には３個のヘッドキャリッジ３７３が配置され、第２列には４個のヘッドキャリッジ３７３が配置されている。なお、各ヘッドキャリッジをＹ方向にずらして配置することにより、各ヘッドのノズルがＹ方向に等ピッチで配置されている。また、第１整備ユニット３８０ａないし第４整備ユニット３８０ｄと第１列および第２列との交点には、それぞれ１個のキャップキャリッジが配置されている。さらに、各整備ユニットにはワイプユニット３９０が設けられている。これにより、各列に属するヘッドキャリッジ３７３が整備ユニットを共用しうるようになっている。この構成によっても、各ヘッドの整備時間を短縮することができる。また、上記各変形例と比べて、ヘッドキャリッジ３７３の移動距離を短くすることが可能になり、液滴吐出装置の製造コストを低減することができる。
【００５７】
［カラーフィルタの製造方法］
次に、本実施形態のカラーフィルタ製造装置１を用いたカラーフィルタの製造方法の一例を説明する。図１２は、基板Ｓにおけるカラーフィルタ領域５１の説明図である。上記カラーフィルタ製造装置を用いたカラーフィルタの製造方法は、生産性を高める観点から長方形状の基板Ｓ上に、複数個のカラーフィルタ領域５１をマトリクス状に形成する際に適用することができる。これらのカラーフィルタ領域５１は、後で基板Ｓを切断することにより、電気光学装置である液晶表示装置に適合する個々のカラーフィルタとして用いることができる。なお、各カラーフィルタ領域５１においては、図１２に示したように、Ｒのインク、Ｇのインク、およびＢのインクをそれぞれ所定のパターン、本例では従来公知のストライプ型で形成して配置する。なお、この形成パターンとしては、ストライプ型のほかに、モザイク型やデルタ型あるいはスクウェア型等としてもよい。
【００５８】
図１３は、カラーフィルタの製造方法の説明図である。このようなカラーフィルタ領域５１を形成するには、まず、図１３（ａ）に示すように、透明の基板Ｓの一方の面に対し、ブラックマトリクス５２を形成する。このブラックマトリクス５２を形成する際には、光透過性のない樹脂（好ましくは黒色樹脂）を、スピンコート等の方法で所定の厚さ（例えば２μｍ程度）に塗布し、フォトリソグラフィ技術を用いてパターニングする。このブラックマトリクス５２の格子で囲まれる最小の表示要素、すなわちフィルタエレメント５３については、例えばＸ軸方向の幅を３０μｍ、Ｙ軸方向の長さを１００μｍ程度とする。このブラックマトリクスは充分な高さを有しており、インク吐出時の隔壁として機能する。
【００５９】
次に、本実施形態のカラーフィルタ製造装置におけるインク受容層形成装置の液滴吐出ヘッドから、図１３（ｂ）に示すようにインク受容層となる樹脂組成物を含有するインク滴５４（液状体）を吐出し、これを基板Ｓ上に着弾させる。吐出するインク滴５４の量については、加熱工程におけるインクの体積減少を考慮した十分な量とする。次いで、インク受容層形成装置の焼成部においてインク滴の焼成を行い、図１３（ｃ）に示すようなインク受容層６０とする。
【００６０】
次に、Ｒ着色層形成装置の液滴吐出ヘッド３４から、図１３（ｄ）に示すようにＲのインク滴５４Ｒ（液状体）を吐出し、これを基板Ｓ上に着弾させる。吐出するインク滴５４の量については、加熱工程におけるインクの体積減少を考慮した十分な量とする。次いで、Ｒ着色層形成装置の仮焼成部においてインクの仮焼成を行い、図１３（ｅ）に示すようなＲ着色層３４Ｒとする。以上の工程を、Ｇ着色層形成装置、Ｂ着色層形成装置においても繰り返し、図１３（ｆ）に示すように、Ｇ着色層３４Ｇ、Ｂ着色層３４Ｂを順次形成する。Ｒ着色層３４Ｒ、Ｇ着色層３４Ｇ、Ｂ着色層３４Ｂを全て形成した後、本焼成装置においてこれら着色層３４Ｒ，３４Ｇ，３４Ｂを一括して焼成する。
【００６１】
次いで、基板Ｓを平坦化し、かつ着色層３４Ｒ，３４Ｇ，３４Ｂを保護するため、図１３（ｇ）に示すように各着色層３４Ｒ，３４Ｇ，３４Ｂやブラックマトリクス５２を覆うオーバーコート膜（保護膜）５６を形成する。このオーバーコート膜５６の形成にあたっては、スピンコート法、ロールコート法、リッピング法等の方法を採用することもできるが、着色層３４Ｒ，３４Ｇ，３４Ｂの場合と同様に液滴吐出装置を用いることも可能である。
【００６２】
このカラーフィルタは、図１に示した本実施形態のカラーフィルタ製造装置１を用いて製造されるが、給材部６１と除材部６６とを結ぶ直線状の基板搬送ラインの途中に描画部６３を備え、基板Ｓの搬送方向と交差する方向に配列された液滴吐出ヘッドからインクを吐出することで、所望形状のパターンを形成するものである。つまり、描画前の基板Ｓを描画部６３の一端から供給し、描画後の基板Ｓを描画部６３の他端から排出する構成であるから、基板Ｓを描画部６３内に連続的に流すことができ、一方向のみの搬送中に複数の液滴吐出ヘッド３４を用いて一気に描画を行うことができる。そのため、１枚の基板を処理するのに必要なタクトタイムを短縮でき、生産性に優れた装置を実現することができる。また、給材部６１、描画部６３、および除材部６６が直線状に配列されているため、装置の占有スペースを縮小することができる。さらに、基板の搬送方向を変える機能を持つ搬送装置が不要となるので、装置構成を簡略化することができる。
【００６３】
［液晶装置］
次に、上記カラーフィルタを備えた液晶装置（電気光学装置）の一実施形態を示す。図１４はパッシブマトリクス型の液晶装置の側面断面図であり、図１４中の符号３０は液晶装置である。この液晶装置３０は透過型のもので、一対のガラス基板３１、３２の間にＳＴＮ（Super Twisted Nematic）液晶等からなる液晶層３３が挟持されてなるものである。
【００６４】
一方のガラス基板３１には、その内面に上記カラーフィルタ５５が形成されている。カラーフィルタ５５は、Ｒ、Ｇ、Ｂの各色からなる着色層３４Ｒ、３４Ｇ、３４Ｂが規則的に配列されて構成されたものである。なお、これらの色素層３４Ｒ（３４Ｇ、３４Ｂ）間には、ブラックマトリクス５２が形成されている。そして、これらカラーフィルタ５５およびブラックマトリクス５２の上には、カラーフィルタ５５やブラックマトリクス５２によって形成される段差をなくしてこれを平坦化するため、オーバーコート膜（保護膜）５６が形成されている。オーバーコート膜５６の上には複数の電極３７がストライプ状に形成され、さらにその上には配向膜３８が形成されている。
【００６５】
他方のガラス基板３２には、その内面に、カラーフィルタ５５側の電極３７と直交するようにして、複数の電極３９がストライプ状に形成されており、これら電極３９上には、配向膜４０が形成されている。なお、前記カラーフィルタ５５の各着色層３４Ｒ、３４Ｇ、３４Ｂは、それぞれ各ガラス基板３２上の電極３９、３７の交差する位置に配置されている。また、電極３７、３９は、ＩＴＯ（Indium Tin Oxide）などの透明導電材料によって形成されている。さらに、ガラス基板３２とカラーフィルタ５５の外面側にはそれぞれ偏光板（図示せず）が設けられ、ガラス基板３１、３２間にはこれら基板３１、３２間の間隔（セルギャップ）を一定に保持するためスペーサ４１が設けられている。さらに、これらガラス基板３１、３２間には液晶３３を封入するためのシール材４２が設けられている。
【００６６】
本実施形態の液晶装置３０では、上記カラーフィルタ製造装置を用いて製造されるカラーフィルタ５５を適用しているため、描画精度に優れた高品質のカラー液晶表示装置を実現することができる。
【００６７】
［第２実施形態］
次に、本発明の第２実施形態につき、図１５を用いて説明する。図１５は、第２実施形態のカラーフィルタ製造装置の概略構成図である。なお、第１実施形態と同様の構成となる部分については、その詳細な説明を省略する。
【００６８】
第２実施形態のカラーフィルタ製造装置は、基板Ｓの搬送ラインの側方に描画部６３を有しており、前工程側から後工程側に搬送される基板Ｓをメイン搬送ライン４６０から引き込んで描画を行い、描画後に再度メイン搬送ライン４６０に戻す構成である。そのため、メイン搬送ライン４６０から描画部６３への分岐点に、基板の搬送方向を９０°切り替えるスイッチＰが設けられている。なお、このスイッチＰと描画部６３との間に、表面改質部６２が設けられている。本実施形態の構成とすることにより、基板Ｓをメイン搬送ライン４６０から引き込む過程でカラーフィルタの描画を行い、基板Ｓを再度メイン搬送ライン４６０に戻す過程で描画不良の補修を行うことができる。
そして、第２実施形態のカラーフィルタ製造装置における描画部６３にも、第１実施形態と同様の液滴吐出装置を採用することが可能であり、第１実施形態と同様の効果を奏することができる。
【００６９】
［電子機器］
次に、上記液晶装置からなる表示手段を備えた電子機器の具体例について説明する。
図１６は、液晶テレビジョンの一例を示した斜視図である。図１６において、符号５００は液晶テレビジョン本体を示し、符号５０１は上記実施形態の液晶装置を備えた液晶表示部を示している。このように、図１６に示す電子機器は、上記実施形態の液晶装置を備えたものであるから、表示品位に優れたカラー液晶表示を有する電子機器を実現することができる。
【００７０】
なお、本発明の技術範囲は上記実施の形態に限定されるものではなく、本発明の趣旨を逸脱しない範囲において種々の変更を加えることが可能である。例えば上記実施形態のカラーフィルタ製造装置の細部の具体的な構成等に関しては適宜変更が可能である。また、上記実施形態では本発明の描画装置をカラーフィルタの製造に応用する例を挙げたが、カラーフィルタのみならず、有機ＥＬ素子等のデバイス形成技術、あるいは各種配線形成技術に適用することも可能である。
【図面の簡単な説明】
【００７１】
【図１】第１実施形態のカラーフィルタ製造装置の概略構成図である。
【図２】描画部の近傍のみを示す概略構成斜視図である。
【図３】図２における左側面図である。
【図４】ヘッドユニットの底面図である。
【図５】液滴吐出ヘッドの説明図である。
【図６】整備ユニットの平面図である。
【図７】整備ユニットの正面図である。
【図８】液滴吐出装置を−Ｘ側から視た概略的な正面図である。
【図９】第１実施形態に係る液滴吐出装置の第１変形例の説明図である。
【図１０】第１実施形態に係る液滴吐出装置の第２変形例の説明図である。
【図１１】第１実施形態に係る液滴吐出装置の第３変形例の説明図である。
【図１２】基板におけるカラーフィルタ領域の説明図である。
【図１３】カラーフィルタの製造方法の説明図である。
【図１４】パッシブマトリクス型の液晶装置の側面断面図である。
【図１５】液晶テレビジョンの一例を示した斜視図である。
【図１６】第２実施形態のカラーフィルタ製造装置の要部である描画装置の部分のみを示す概略構成斜視図である。
【符号の説明】
【００７２】
Ｂ…描画装置（液滴吐出装置本体）、  Ｓ…基板、  ３０…液晶装置（電気光学装置）、  ３４…液滴吐出ヘッド、  ７２…液滴吐出装置、  ７３…ヘッドキャリッジ（サブキャリッジ）、  ８１…キャップユニット（処理装置）、  ９０…ワイパユニット（処理装置）、  １５３…キャリッジ、  １５８…リニアモータ、  １７２…駆動ユニット（処理装置）、  ５００…液晶テレビジョン本体（電子機器）
【図１】
0004729852.tif 000002
【図２】
0004729852.tif 000003
【図３】
0004729852.tif 000004
【図４】
0004729852.tif 000005
【図５】
0004729852.tif 000006
【図６】
0004729852.tif 000007
【図７】
0004729852.tif 000008
【図８】
0004729852.tif 000009
【図９】
0004729852.tif 000010
【図１０】
0004729852.tif 000011
【図１１】
0004729852.tif 000012
【図１２】
0004729852.tif 000013
【図１３】
0004729852.tif 000014
【図１４】
0004729852.tif 000015
【図１５】
0004729852.tif 000016
【図１６】
0004729852.tif 000017